(57)【特許請求の範囲】
【請求項１】
物品のための再閉鎖可能なパッケージにおいて、
互いに連結されてパッケージ管を形成する前パネルと後パネルであって、上シールと下シールにより上端と下端が横断方向に熱融着されて成る前後パネルと、
前記パッケージ管内において前記上シールの近傍に前記前後パネルの何れか一方に横断方向に取着された雄型係合部であって、前記雄型係合部は雄型係合部材とウェブとを有し、前記ウェブは前記雄型係合部材と共に同時押出成形された雄型係合部と、
前記パッケージ管内において前記上シールの近傍に前記前後パネルの他方に横断方向に取着され、雌型係合部材と該雌型係合部材と一体的に形成したウェブとを有した雌型係合部であって、前記雌型係合部材には溝が形成されており、該溝内に前記雄型係合部材がスナップ式に係合して、前記雄型係合部材と雌型係合部材とが連結されるようにした雌型係合部とを具備し、
前記雄型係合部材は、前記上シール側に形成された鋭角なエッジと、そして反対側に形成された丸くなったエッジとを有しており、前記下シールの方向に分離するときよりも小さな力で、前記雄型係合部を前記上シールの方向に前記雌型係合部から分離可能とし、
前記雄型係合部と雌型係合部の一方のウェブが前記下シールへ向けて延びる部分を有していることを特徴とする再閉鎖可能なパッケージ。
【請求項２】
前記雄型係合部のウェブが、前記雄型係合部材から前記上シールへ向けて長く延びており、かつ、前記雄型係合部は該雄型係合部のウェブの前記上シールの近傍の端部で前記前パネルと後パネルの一方に取着され、
前記前記雄型係合部のウェブは、前記雌型係合部材から前記上シールへ向けて長く延びており、前記雌型係合部は該雌型係合部のウェブの前記上シールの近傍の端部で前記前パネルと後パネルの他方に取着されている請求項１に記載の再閉鎖可能なパッケージ。
【請求項３】
前記雄型係合部と雌型係合部の一方のウェブの前記部分が、その両端のみで前記前後パネルの一方に取着されている請求項１または２に記載の再閉鎖可能なパッケージ。
【請求項４】
前記雄型係合部と雌型係合部の一方のウェブの前記部分が、直線状に配列された穿孔により、その残りの部分から分離されている請求項１〜３の何れか１項に記載の再閉鎖可能なパッケージ。
【請求項５】
前記雄型係合部と雌型係合部の一方のウェブの前記部分が、ピールシールによって前記前後パネルの一方に取着されている請求項１〜３の何れか１項に記載の再閉鎖可能なパッケージ。
【請求項６】
前記雄型係合部と雌型係合部の一方または双方が、更に、前記ウェブに設けられた複数のグリッパリブを具備しており、該グリッパリブは、該グリッパリブが設けられているウェブにおいて、反対側のウェブに対面する表面に設けられている請求項１〜５の何れか１項に記載の再閉鎖可能なパッケージ。
【請求項７】
前記雄型係合部が、更に、該雄型係合部のウェブに設けられたガイドリブを具備し、該ガイドリブは、前記雄型係合部材の近傍に配置され、かつ、前記雌型係合部のウェブの方に向けられている請求項１〜６の何れか１項に記載の再閉鎖可能なパッケージ。
【請求項８】
前記雄型係合部と雌型係合部の一方または双方は、低密度ポリエチレン(LDPE)のような高分子樹脂材料から押出成形される請求項１〜７の何れか１項に記載の再閉鎖可能なパッケージ。
【請求項９】
前記雄型係合部と雌型係合部の一方または双方は、エチレンビニルアセテート(EVA)のような熱シール層を具備し、該熱シール層は、該熱シール層が設けられているウェブにおいて、反対側のウェブに対面する表面の裏側に設けられている請求項１〜８の何れか１項に記載の再閉鎖可能なパッケージ。
【発明の詳細な説明】
【０００１】
【発明の属する技術分野】
本発明は、小売用に腐敗しやすい食品製品その他の物品をを包装するための再閉鎖可能なプラスチックバッグに関する。より詳細には、本発明は、横型または縦型成形充填シール機械(FFS) において製造と同時に充填される再閉鎖可能なプラスチックバッグであって、プラスチック製のジッパが、成形充填シール機械で再閉鎖可能なバッグを製造するために用いる熱可塑性シートの移動方向に関して横断方向に配設されて成る再閉鎖可能なプラスチックバッグに関する。
【０００２】
【従来の技術】
本発明は、パッケージ製造技術の改良に関し、種々の商品、特に、開封前には防湿、気密に保持しなければならな食品用に有効な熱可塑性製バッグやパッケージに適している。このパッケージは、開封後にパッケージ内に物品を残したままジッパ手段により再び閉じることができる。
【０００３】
【発明が解決しようとする課題】
この種の技術はかなり発展しているが、効率と費用効果の点から改良の余地がある。
【０００４】
連続的なジッパを備えたシートからこの種のパッケージを製造することは、特に、バッグまたはパッケージを逐次切り離すサイドシールを貫通してジッパが延びる領域で、漏れに対してバッグまたはパッケージを十分にシールすることが難しいとの問題がある。この問題は、成形充填シール機械において再閉鎖可能なバッグを製造するために用いられる熱可塑性のシート材料の移動方向に関して、ジッパが長手に配設されている場合に生じる。この場合、側部がシールされたバッグは、パッケージを製造する熱可塑性のシート材料をシールする際、ジッパは平らにするのと同時にシールしなければならない。この種のパッケージでは比較的高い確率で漏れを生じることから、欠陥なくこの種のパッケージを製造することの困難性が証明される。
【０００５】
この問題を解決するために多くの試みがなされてきた。こうした試みの１つには、ジッパを長手方向ではなく横断方向に配設した構成がある。この構成のパッケージでは成形充填シール機械は、サイドシールを形成する際、ジッパを平らにする必要はなく、ジッパを平らにすることなく熱可塑性シート材料に熱融着することができる。
【０００６】
本発明は、横断方向にジッパを設けた再閉鎖可能なプラスチックバッグまたはパッケージに関する。この種のパッケージは、スナック食品等の物品を小売りするために用いられる。消費者には、両手の指でパッケージの２つの側壁をシールされたパッケージの上端の下側でつまんで、側壁を引き離し上端のシールを開封することを好む者がいる。ジッパが外側、つまり、消費者側から開くときに、パッケージの内側、つまり、物品側から開封するよりも容易に開きやすくなっている場合に、上記の方法では開封が難しくなる。本発明は、消費者がこのようにしてパッケージを開くときに開き易くしたジッパ帯および該ジッパ帯を備えた再閉鎖可能なパッケージを提供することを目的としている。
【０００７】
【課題を解決するための手段】
本発明によれば、物品を包装する再閉鎖可能なパッケージ、および、該パッケージに用いるジッパ帯を提供する。
【０００８】
上記パッケージは、互いに連結されてパッケージ管を形成する前パネルと後パネルであって、上シールと下シールにより上端と下端が横断方向に熱融着されて成る前後パネルを有している。
【０００９】
前記再閉鎖可能なパッケージはジッパ帯を備えている。このジッパ帯は、雄型係合部と雌型係合部とを含んでいる。雄型係合部は、前記パッケージの内部において前記上シールの近傍で前記前後パネルの何れか一方に横断方向に取着されている。前記雄型係合部は雄型係合部材とウェブとを有し、前記ウェブは前記雄型係合部材と共に同時押出成形され、かつ、主として前記雄型係合部材から前記上シールの方向に広がるように設けられている。前記雄型係合部は前記ウェブにおいて前記上シール側の端部において前記前後パネルの何れか一方に横断方向に取着されている。
【００１０】
前記雄型係合部は、鋭角なエッジと丸くなったエッジとを有して非対称形状の矢尻状を呈し、前記鋭角なエッジが前記上シール側に配設される。
【００１１】
前記雌型係合部は、前記パッケージ管内において前記上シールの近傍に前記前後パネルの他方に横断方向に取着される。前記雌型係合部は、雌型係合部とウェブとを有し、前記ウェブは前記雌型係合部材と共に同時押出成形され、かつ、主として前記雌型係合部材から前記上シールの方向に広がるように設けられている。前記雌型係合部は前記ウェブにおいて前記上シール側の端部において前記前後パネルの他方に横断方向に取着されてている。
【００１２】
前記雌型係合部材は、溝を形成する２つの湾曲した部材を有しており、前記溝内に前記雄型係合部材がスナップ式に係合して、前記雄型係合部と雌型係合部が連結され、前記パッケージが閉鎖される。前記雄型係合部材は、既述したように、上シール側に配置される鋭角なエッジと、物品側に配置される丸くなったエッジとを有して非対称形状を呈している。この特徴により、パッケージの外側からよりも内側からの方が開封しやすくなる。
【００１３】
雄型係合部と雌型係合部の何れか一方のウェブは、下シール側に延びる部分を有している。雄型係合部材の丸くなったエッジは、この部分の方に向けられている。この部分は、前後パネルの何れか一方に取着されている。より詳細には、雄型係合部または雌型係合部のウェブにおいて、前記部分が設けられているウェブと同じパネルに取着されている。
【００１４】
雄型係合部と雌型係合部の何れか一方のウェブの前記部分は、直線状に配列された穿孔により、その予の部分から切り離すことができる。これは、上述のように消費者がパッケージを開封する際に口述するように作用する。
【００１５】
代替的に、前記雄型または雌型係合部のウェブの一部は、好ましくは、ピールシール(peel seal) またはトラックシール(track seal)により横断方向の両端のみで前記前パネルまたは後パネルに取着し、パッケージの幅の大部分に関して、前記雄型または雌型係合部のウェブの前記部分が、前記前パネルまたは後パネルに、前記雄型係合部と前記雌型係合部の外側のみで取着されるようにしてもよい。これによって、上述したようにしてパッケージを開封することが可能となる。
【００１６】
【発明の実施の形態】
図１は、本発明実施形態による再閉鎖可能なパッケージ１０の長手方向にとった断面図である。パッケージ１０は、本発明のジッパ帯２０を有している。
【００１７】
パッケージ１０は前パネル１２と後パネル１４とを含んでいる。前パネル１２、後パネル１４は、同一の単一の高分子材料のシートの一部から形成することができ、パッケージ１０の製造の間に商品が充填される際に、縦型成形充填シール機械の充填管の周囲に巻き付けられ、各々の側縁を互いにフィンシール状に接合して管状に形成される。代替的に前パネル１２と後パネル１４を別個の高分子シートから形成し、２つの側縁に沿って互いに融着してもよい。何れの場合においても、前パネル１２と後パネル１４は、パッケージ１０の上端を形成する上シール部１６と、パッケージ１０の下端を形成する下シール部１８において互いに融着される。添付図面において、上シール部１６と下シール部１８は非常に接近させて図示されており、かつ、ジッパ帯２０は非常に大きく図示されている。実際上は、ジッパ帯２０の下側において前パネル１２と後パネル１４の破線部分で示すように、下シール１８は上シール１６およびジッパ帯２０からずっと下側にある。従って、このパッケージの内部２２は、包装する物品に対応させて寸法を変えることができる。
【００１８】
ジッパ帯２０は、雄型の輪郭を有する雄型係合部２４と、雌型の輪郭を有する雌型係合部２６とを具備する。雄型係合部２４は、対称的な矢尻状の断面形状を有する雄型係合部材２８を含んでいる。雄型係合部材２８は、一方の側からの方が他方の側からよりも簡単に解放できるように形成されている。より詳細には、雄型係合部材２８は、各々の側に鋭角なエッジ３０と丸くなったエッジ３２とを有している。鋭角なエッジ３０は、パッケージ１０の上シール１６に向けられて、つまり、外側に向けられている。丸くなったエッジ３２はパッケージ１０の内部２２、つまり、ジッパ帯２０の物品側に向けられている。この雄型係合部材２８の配置により、パッケージ１０は、内側つまり物品側からの方が外側つまり消費者側からよりも容易に開くことが可能となる。雄型係合部２４は、また、雄型係合部材２８と同時押出成形されたウェブ３４を有している。雄型係合部２４は、更に、雄型係合部材２８に隣接させて設けられたガイドリブ３６を含んでいてもよい。ウェブ３４は、また、雄型係合部材２８の外側に設けられたグリッパリブ３８を含んでいる。グリッパリブ３８はジッパ帯２０の開放を容易にする。
【００１９】
雌型係合部２６は、雌型係合部材４０を含んでいる。雌型係合部材４０は、受容部または溝を形成する２つの湾曲部材４２を具備している。この受容部内に雄型係合部材２８がスナップ式に係合する。
【００２０】
雌型係合部２６は、雌型係合部材４４と同時押出成形されたウェブ４４を含んでいる。雌型係合部２６のウェブ４４は、雄型係合部２４のウェブ３４よりも広く形成されており、ウェブ３４よりもパッケージ１０の内部２２内へのびている。ウェブ４４は、更に、グリッパリブ４６を含んでいてもよい。グリッパリブ４６は、雌型係合部材４０の外側に設けられており、かつ、ウェブ３４に形成されたグリッパリブ２８に対面している。グリッパリブ４６は外側からジッパ帯２０を開放しやすくしている。雌型係合部材４０の内側のウェブ４４の下方部４８は、長手方向に沿って延びる直線状に配設された穿孔５０によりウェブ４４の他の部分から分離することができる。
【００２１】
雄型係合部２４は、熱シール材料から成る層５２により、雄型係合部材２８の外側の１カ所で後パネル１４に取着されている。他方、雌型係合部２６は、熱融着材料から成る層５４により雌型係合部材４０の外側の１カ所、および、熱シール材料から成る層５６により、雌型係合部材４０の穿孔５０の内側の１カ所で前パネル１２に取着されている。
【００２２】
雄型および雌型係合部２４、２６は、高分子樹脂材料、例えば、低密度ポリエチレンから押出成形することができる。熱シール材料から成る層５２、５４、５６は、雄型、雌型係合部２４、２６と同時押出成形したり、或いは、押出成形の後に塗布することができる。熱シール材料から成る層５２、５４、５６には、エチレンビニルアセテート共重合体を用いることができる。前パネル１２と後パネル１４は、高分子フィルムのシートであり、このシートに熱シール材料から成る層５２、５４、５６により雄型、雌型係合部２４、２６が熱融着される。
【００２３】
パッケージ１０は、最初に、ジッパ帯２０の下側において両手の指で前パネル１２と後パネル１４をつまんで、前パネル１２と後パネル１４を互いに引き離すようにして開封される。
【００２４】
かみ合った雄型、雌型係合部材２８、４０は、最初は互いに強く係合しており、前後パネル１２、１４が分離して穿孔５０が引き裂かれる。その後、前パネル１２を後パネル１４から更に引き離すと、係合した雄型、雌型係合部２４、２６が上シール１６へ向かって上方にヒンジ状に回転して、容易に係合が解除される。その位置から更に、前パネル１２を後パネル１４から引き離すと上シール１６が分離する。
【００２５】
雌型係合部２６のウェブ４４の下方部４８は、また、一般的にジッパ帯２０のリーディングフランジと称されている。ジッパ帯２０が、縦型成形充填シール機械に給送された高分子材料のフィルムに取着されるとき、下方部４８は、機械へ向けてジッパ帯２０よりも「先行する（リードする）」ので、リーディングフランジと称される。本実施形態で、雌型係合部２６のリーディングフランジすなわちウェブ４４の下方部４８は、縦型成形充填シール機械において製造と同時に物品が充填されるプラスチックバッグまたはパッケージの口の内側を形成する。雌型係合部２６は、本第１の実施形態において、リーディングフランジ（下方部４８）を有しているが、リーディングフランジは、雄型係合部２４に設けてもよい。
【００２６】
既述したように、ジッパ帯２０は、縦型成形充填シール機械においてプラスチックバッグまたはパッケージが形成される際に、高分子材料のフィルムの横断方向に配設される。ジッパ帯２０は、図１に示すように、雄型、雌型係合部２４、２６が係合した状態で高分子材料から成るフィルムに供給され、雌型係合部２６が前記フィルム上に載置される。
【００２７】
図２は、縦型成形充填シール機械においてパッケージを製造するために、横断方向に配設されたジッパ帯２０を等間隔に取着した高分子材料のフィルムの平面図である。高分子材料のフィルム６０は、矢印で示すように、縦型成形充填シール機械の成形カラーの方へ移送される。フィルム６０を横断する方向に延びる破線は、一連のパッケージの上端と下端の大まかな位置を示している。雌型係合部２６のウェブ４４の下方部４８が、フィルム６０の移動方向に関してジッパ帯２０の前縁となる。雌型係合部２６のウェブ４４の下方部４８が、フィルム６０の移動方向に関してジッパ帯２０の前縁となることが「リーディングフランジ」と称される理由である。穿孔５０もまた図２に示されている。ジッパ帯２０は、図２に示すように、両側縁６２に沿って十分なマージンをとってフィルム６０の中心部に取着されており、このマージン部分が折り曲げられて重畳部またはフィンシームが形成される。下方部４８は、熱シール材料から成る層５６によりフィルム６０に取着される。雄型係合部２４は、雌型係合部２６に係合させることにより、フィルム６０に間接的に取着される。その後、フィルム６０が管状に折り曲げられ、側縁６２をシールしてフィンシームが形成される際、フィルム６０が熱シール材料５２により雄型係合部２４に取着され、熱シール材料５４により雌型係合部２６に取着される。
【００２８】
図３は、本発明の第２の実施形態による再閉鎖可能なパッケージ１００の長手方向にとった断面図である。パッケージ１００は、本発明のジッパ帯１２０を有している。
【００２９】
第１の実施形態と同様に、パッケージ１００は前パネル１１２と後パネル１１４とを含んでいる。前パネル１１２、後パネル１１４は、同一の単一の高分子材料のシートの一部から形成することができ、パッケージ１００の製造の間に商品が充填される際に、縦型成形充填シール機械の充填管の周囲に巻き付けられ、各々の側縁を互いにフィンシーム状に接合して管状に形成される。代替的に前パネル１１２と後パネル１１４を別個の高分子シートから形成し、２つの側縁に沿って互いに融着してもよい。何れの場合においても、前パネル１１２と後パネル１１４は、パッケージ１００の上端を形成する上シール部１１６と、パッケージ１００の下端を形成する下シール部１１８において互いに融着される。添付図面において、上シール部１１６と下シール部１１８は非常に接近させて図示されており、かつ、ジッパ帯１２０は非常に大きく図示されている。実際上は、既述したように、ジッパ帯１２０の下側において前パネル１１２と後パネル１１４の破線部分で示すように、下シール１１８は上シール１１６およびジッパ帯１２０からずっと下側にある。
【００３０】
ジッパ帯１２０は、雄型の輪郭を有する雄型係合部１２４と、雌型の輪郭を有する雌型係合部１２６とを具備する。雄型係合部１２４は、対称的な矢尻状の断面形状を有する雄型係合部材１２８を含んでいる。雄型係合部材１２８は、一方の側からの方が他方の側からよりも簡単に開けるように形成されている。より詳細には、雄型係合部材１２８は、各々の側に鋭角なエッジ３１０と丸くなったエッジ１３２とを有している。鋭角なエッジ１３０は、パッケージ１００の上シール１１６に向けられて、つまり、外側に向けられている。丸くなったエッジ１３２はパッケージ１００の内部１２２、つまり、ジッパ帯１２０の物品側に向けられている。この雄型係合部材１２８の配置により、パッケージ１００は、内側つまり物品側からの方が外側つまり消費者側からよりも容易に開くことが可能となる。
【００３１】
雄型係合部１２４は、また、雄型係合部材２８と同時押出成形されたウェブ１３４を有している。雄型係合部１２４は、更に、雄型係合部材１２８に隣接させて設けられたガイドリブ１３６を含んでいてもよい。ウェブ１３４は、また、雄型係合部材２８の外側に設けられたグリッパリブ１３８を含んでいる。グリッパリブ１３８はジッパ帯１２０の開放を容易にする。
【００３２】
雌型係合部１２６は、雌型係合部材１４０を含んでいる。雌型係合部材１４０は、受容部または溝を形成する２つの湾曲部材１４２を具備している。この受容部内に雄型係合部材１２８がスナップ式に係合する。
【００３３】
雌型係合部１２６は、雌型係合部材１４０と同時押出成形されたウェブ１４４を含んでいる。ウェブ１４４は、更に、グリッパリブ１４６を含んでいてもよい。グリッパリブ１４６は、雌型係合部材１４０の外側に設けられており、かつ、ウェブ１３４に形成されたグリッパリブ１２８に対面している。グリッパリブ１４６は外側からジッパ帯１２０を開放しやすくしている。
【００３４】
雄型係合部１２４のウェブ１３４は、雌型係合部１２６のウェブ１４４よりも広く形成されており、図３に示すように、下方部１４８として所定長さを以てウェブ１４４よりもパッケージ１００の内部１２２内へ延びている。
【００３５】
雄型係合部１２４は、熱シール材料から成る層１５２により雄型係合部材１２８の外側の１カ所と、熱シール材料から成る層１５４により雄型係合部材１２８の内側の下方部１４８の１カ所、合計２箇所で後パネル１１４に取着されている。熱シールから成る層１５２は、パッケージ１００の全幅にわたって延設しているが、熱シール材料から成る層１５４は、パッケージ１００においてジッパ帯１２０の両端にのみ形成されており、好ましくは、軽くトラックシールされ、或いは、ピールシール材料から形成される。他方、雌型係合部１２６は、熱融着材料から成る層１５６により雌型係合部材１４０の外側の１カ所で前パネル１１２に取着されている。その結果、後述するように、雌型係合部１２６と雄型係合部１２４は、前パネル１１２および後パネル１１４に１カ所のみで取着されている。
【００３６】
雄型および雌型係合部１２４、１２６は、高分子樹脂材料、例えば、低密度ポリエチレンから押出成形することができる。熱シール材料から成る層１５２、１５４、１５６は、雄型、雌型係合部１２４、１２６と同時押出成形したり、或いは、押出成形の後に塗布することができる。熱シール材料から成る層１５２、１５４、１５６には、エチレンビニルアセテート共重合体を用いることができる。前パネル１１２と後パネル１１４は、高分子フィルムのシートであり、このシートに熱シール材料から成る層１５２、１５４、１５６により雄型、雌型係合部２４、２６が熱融着される。
【００３７】
パッケージ１００は、ジッパ帯１２０の下側のパッケージ１００の中央部において両手の指で前パネル１１２と後パネル１１４をつまんで、前パネル１１２と後パネル１１４を互いに引き離すようにして開封される。前パネル１１２を後パネル１１４から引き離すことにより、シール１５４がはがれ、かみ合った雄型、雌型係合部１２４、１２６が上シール１１６へ向かって上方にヒンジ状に回転して、係合した雄型、雌型係合部材１２８、１４０の係合が容易に解除される。その位置から更に、前パネル１１２を後パネル１１４から引き離すと上シール１１６が分離する。
【００３８】
第１の実施形態と同様に、雄型係合部１２４のウェブ１３４の下方部１４８は、また、一般的にジッパ帯１２０のリーディングフランジと称されている。ジッパ帯１２０は、縦型成形充填シール機械にプラスチックバッグつまりパッケージが製造される際、高分子材料のフィルムを横断するように配置される。この実施形態では、ジッパ帯１２０は、図３に示すように、雄型、雌型係合部１２４、１２６が係合した状態で高分子材料から成るフィルムに供給され、雄型係合部１２４が前記フィルム上に載置される。
【００３９】
図４は、縦型成形充填シール機械においてパッケージを製造するために、横断方向に配設されたジッパ帯１２０を等間隔に取着した高分子材料のフィルムの平面図である。高分子材料のフィルム１６０は、矢印で示すように、縦型成形充填シール機械の成形カラーの方へ移送される。フィルム１６０を横断する方向に延びる破線は、一連のパッケージの上端と下端の大まかな位置を示している。雄型係合部１２４のウェブ１３４の下方部４８が、フィルム１６０の移動方向に関してジッパ帯１２０の前縁となる。雄ジッパ帯１２０は、図４に示すように、フィルム１６０の両側縁１６２に沿って十分なマージンをとってフィルム１６０の中心部に取着されており、このマージン部分が折り曲げられて重畳部またはフィンシームが形成される。下方部１４８は、熱シール材料から成る層１５４により、下方部１４８の両端部１６４においてフィルム１６０に取着される。雌型係合部１２６は、雄型係合部１２４に係合させることにより、フィルム１６０に間接的に取着される。その後、フィルム１６０が管状に折り曲げられ、側縁１６２をシールしてフィンシームが形成される際、フィルム１６０が熱シール材料１５２により雄型係合部１２４に取着され、熱シール材料１５６により雌型係合部１２６に取着される。
【図面の簡単な説明】
【図１】本発明第１の実施形態によるパッケージの断面図である。
【図２】図１のパッケージの平面図である。
【図３】本発明第２の実施形態によるパッケージの断面図である。
【図４】図３のパッケージの平面図である。
【符号の説明】
１０…パッケージ
１２…前パネル
１４…後パネル
１６…上シール
１８…下シール
２０…ジッパ帯
２４…雄型係合部
２８…雌型係合部
【図１】
0004279394.tif 000002
【図２】
0004279394.tif 000003
【図３】
0004279394.tif 000004
【図４】
0004279394.tif 000005